(57)【要約】【課題】  予約状況等を反映した的確な経路情報の提供や当該経路情報に応じた簡便な予約処理を可能とする。【解決手段】  入力インターフェイスより経路検索要求を受付ける手段と、列車の乗降駅および乗降時機の情報を経路検索システムに送信すると共に原検索結果を受信する手段と、原検索結果の含む列車種別または線区の情報を抽出し予約管理システムに送信すると共に各列車の予約状況または運行状況を受信する手段と、各列車の予約状況または運行状況に基づき予約可能な列車を抽出する手段と、予約可能な列車のうちより乗降時機に適合する最先の列車を選定する手段と、乗降駅間の経路情報を出力インターフェイスに出力する手段と、列車の予約要求を入力インターフェイスより受け付けて予約管理システムに送信すると共に予約処理結果を受信して出力インターフェイスに出力する手段とを備える。【選択図】  図３
2005071156.tif 000002
【特許請求の範囲】
【請求項１】
経路検索システムおよび予約管理システムにネットワークで結ばれ、鉄道の経路情報提供を行う情報処理装置であって、
入力インターフェイスより、列車の乗車駅および降車駅と乗降時機と乗車人数とを含む経路検索要求を受付ける手段と、
前記経路検索要求のうち列車の乗降駅および乗降時機の情報を、前記経路検索システムに送信すると共に、当該経路検索システムより返された、前記乗降駅間の経路をなす１以上の列車に関する、列車種別または線区の情報を含む原検索結果を受信する手段と、
前記原検索結果の含む列車種別または線区の情報を抽出し、前記予約管理システムに送信すると共に、当該予約管理システムより返された、列車種別または線区に属する各列車の予約状況または運行状況を受信する手段と、
前記各列車の予約状況または運行状況に基づき、予約可能な列車を抽出する手段と、
前記予約可能な列車のうちより、前記経路検索要求が含む乗降時機に適合する最先の列車を選定する手段と、
前記選定した列車の情報を含む、前記乗降駅間の経路情報を出力インターフェイスに出力する手段と、
前記経路情報に応じた列車の予約要求を入力インターフェイスより受け付けて前記予約管理システムに送信すると共に、当該予約管理システムより返された、予約処理結果を受信して出力インターフェイスに出力する手段と、
を備えることを特徴とする情報処理装置。
【請求項２】
請求項１に記載の情報処理装置において、
前記予約可能な列車のうちより、前記経路検索要求が含む乗降時機に適合する最先の列車を選定すると共に、当該列車への接続が最先の列車を選定する手段と、
前記選定した列車の情報を含む、前記乗降駅間の経路情報を出力インターフェイスに出力する手段と、
前記経路情報に応じた列車の予約要求を入力インターフェイスより受け付けて前記予約管理システムに送信すると共に、当該予約管理システムより返された、予約処理結果を受信して出力インターフェイスに出力する手段と、
を備えることを特徴とする情報処理装置。
【請求項３】
請求項１または２に記載の情報処理装置において、
前記予約可能な列車のうちより、前記経路検索要求が含む乗降時機に適合する列車のうち料金最低の列車を選定する手段を備えることを特徴とする情報処理装置。
【請求項４】
請求項１〜３のいずれかに記載の情報処理装置において、
前記出力インターフェイスが、前記予約処理結果を印刷媒体に印字するプリンタ手段を備えることを特徴とする情報処理装置。
【請求項５】
経路検索システムおよび予約管理システムにネットワークで結ばれた情報処理装置に、鉄道の経路情報提供を実行させるプログラムであって、
入力インターフェイスより、列車の乗車駅および降車駅と乗降時機と乗車人数とを含む経路検索要求を受付けるステップと、
前記経路検索要求のうち列車の乗降駅および乗降時機の情報を、前記経路検索システムに送信すると共に、当該経路検索システムより返された、前記乗降駅間の経路をなす１以上の列車に関する、列車種別または線区の情報を含む原検索結果を受信するステップと、
前記原検索結果の含む列車種別または線区の情報を抽出し、前記予約管理システムに送信すると共に、当該予約管理システムより返された、列車種別または線区に属する各列車の予約状況または運行状況を受信するステップと、
前記各列車の予約状況または運行状況に基づき、予約可能な列車を抽出するステップと、
前記予約可能な列車のうちより、前記経路検索要求が含む乗降時機に適合する最先の列車を選定するステップと、
前記選定した列車の情報を含む、前記乗降駅間の経路情報を出力インターフェイスに出力するステップと、
前記経路情報に応じた列車の予約要求を入力インターフェイスより受け付けて前記予約管理システムに送信すると共に、当該予約管理システムより返された、予約処理結果を受信して出力インターフェイスに出力するステップと、
を含むことを特徴とする経路情報提供プログラム。
【発明の詳細な説明】
【技術分野】
【０００１】
本発明は、情報処理装置、経路情報提供プログラムに関する。
【背景技術】
【０００２】
鉄道等の乗車券などを発券する手法が種々提案されてきた。例えば、料金の変更に対しても誤りなく発券する自動発券端末装置を提供するとの目的の下、予約センタに接続され、操作者の操作に基づいて前記予約センタと通信を行い、切符を発行する自動発券端末装置において、当該自動発券端末装置の制御を行う制御手段と、行き先、座席種別、乗り物名等の情報を入力する入力手段と、乗り物情報を保持する記憶手段と、前記乗り物情報を表示する表示手段と、選択された乗り物の切符を出力する出力手段とを有し、前記制御手段は、前記入力手段から入力された行き先、座席種別の情報に対応する料金情報が前記記憶手段に登録されているか否かを判定し、登録されていない場合には前記入力された行き先、座席種別の情報に基づいて前記予約センタに料金問い合わせ通信を行い、登録されている場合には該記憶手段に登録されている料金情報を読み出すことを特徴とする自動発券端末装置（特許文献１参照）などが提案されている。
【特許文献１】特許第３１９９７１６号公報
【発明の開示】
【発明が解決しようとする課題】
【０００３】
上述したように、乗車券等の予約・発券の手法は種々提案され、インターネット上での予約システムも実現されている。また、鉄道等に関する多機能な経路検索システムもインターネット上で提供されつつある。しかしながら、従来得られる経路検索の結果は、経路上の鉄道等予約状況或いは運行状況と全く関係なく提供される情報となっていた。つまり利用者は、得られた経路検索結果から、また別途の予約システムにおいて予約要求等の処理を行うことが必要となり、煩雑な手間と時間を要することとなっていた。例えば、経路検索結果に含まれる列車であっても、実際には満席で予約不可であったり、或いは運行停止中であったりする状況などには対応出来なかったのである。また逆に、経路検索結果には含まれない列車であっても、臨時運行されている列車がある状況に対応し、利用者に的確な情報提供を行って予約を処理するといったことも困難であった。
【０００４】
そこで本発明は上記課題を鑑みてなされたものであり、予約状況等を反映した的確な経路情報の提供や当該経路情報に応じた簡便な予約処理を可能とする情報処理装置、経路情報提供プログラムを提供することを主たる目的とする。
【課題を解決するための手段】
【０００５】
上記課題を解決する本発明の情報処理装置は、経路検索システムおよび予約管理システムにネットワークで結ばれ、鉄道の経路情報提供を行う情報処理装置であって、入力インターフェイスより、列車の乗車駅および降車駅と乗降時機と乗車人数とを含む経路検索要求を受付ける手段と、前記経路検索要求のうち列車の乗降駅および乗降時機の情報を、前記経路検索システムに送信すると共に、当該経路検索システムより返された、前記乗降駅間の経路をなす１以上の列車に関する、列車種別または線区の情報を含む原検索結果を受信する手段と、前記原検索結果の含む列車種別または線区の情報を抽出し、前記予約管理システムに送信すると共に、当該予約管理システムより返された、列車種別または線区に属する各列車の予約状況または運行状況を受信する手段と、前記各列車の予約状況または運行状況に基づき、予約可能な列車を抽出する手段と、前記予約可能な列車のうちより、前記経路検索要求が含む乗降時機に適合する最先の列車を選定する手段と、前記選定した列車の情報を含む、前記乗降駅間の経路情報を出力インターフェイスに出力する手段と、前記経路情報に応じた列車の予約要求を入力インターフェイスより受け付けて前記予約管理システムに送信すると共に、当該予約管理システムより返された、予約処理結果を受信して出力インターフェイスに出力する手段と、を備えることを特徴とする。
【０００６】
また、経路検索システムおよび予約管理システムにネットワークで結ばれた情報処理装置に、鉄道の経路情報提供を実行させるプログラムであって、入力インターフェイスより、列車の乗車駅および降車駅と乗降時機と乗車人数とを含む経路検索要求を受付けるステップと、前記経路検索要求のうち列車の乗降駅および乗降時機の情報を、前記経路検索システムに送信すると共に、当該経路検索システムより返された、前記乗降駅間の経路をなす１以上の列車に関する、列車種別または線区の情報を含む原検索結果を受信するステップと、前記原検索結果の含む列車種別または線区の情報を抽出し、前記予約管理システムに送信すると共に、当該予約管理システムより返された、列車種別または線区に属する各列車の予約状況または運行状況を受信するステップと、前記各列車の予約状況または運行状況に基づき、予約可能な列車を抽出するステップと、前記予約可能な列車のうちより、前記経路検索要求が含む乗降時機に適合する最先の列車を選定するステップと、前記選定した列車の情報を含む、前記乗降駅間の経路情報を出力インターフェイスに出力するステップと、前記経路情報に応じた列車の予約要求を入力インターフェイスより受け付けて前記予約管理システムに送信すると共に、当該予約管理システムより返された、予約処理結果を受信して出力インターフェイスに出力するステップと、を含むことを特徴とする経路情報提供プログラムにかかる。このプログラムは、前記各ステップの動作を行うためのコードから構成されている。
【０００７】
その他、本願が開示する課題、及びその解決方法は、発明の実施の形態の欄、及び図面により明らかにされる。
【発明の効果】
【０００８】
本発明によれば、予約状況等を反映した的確な経路情報の提供や当該経路情報に応じた簡便な予約処理を可能とする。
【発明を実施するための最良の形態】
【０００９】
以下に本発明の実施形態について図面を用いて詳細に説明する。図１は本実施形態における利用者端末１００（情報処理装置）を含むネットワーク構成図である。本発明の情報処理装置たる利用者端末１００は、本発明の情報処理装置の有する機能を実現するプログラム１０６をメモリ１０７に格納し、演算装置たるＣＰＵ１０８により読み出して実行する。他に、利用者端末１００がＬＡＮやインターネット等のネットワーク１２０を介して、仲介サーバ１３０、経路検索システム１４０、予約管理システム１５０等の外部装置と接続してデータ授受を実行したり、データ入出力を行う入出力インターフェイス１０９を備えている。
【００１０】
また、出力インターフェイスとして、例えば、プリンタ１１０、携帯電話機１１５、ＩＣカードリーダ１１７（ＩＣカード１１８）を備えるとしてもよい。この場合、出力データの形態も、これら出力インターフェイスの仕様や通信プロトコル等に合わせたものとする。出力インターフェイスがプリンタ１１０であれば、本発明に基づき処理された予約処理結果がテキストデータや画像データの形態で出力される。また、携帯電話機１１５であれば、例えば予約処理結果を携帯電話機１１５の画面或いは赤外線出力が出来る電子マネーやバーコードデータのデータ形態とする。ＩＣカードリーダ１１７であれば、ＩＣカード１１８に格納可能なデータ形態となる。
【００１１】
なお、前記仲介サーバ１３０は、本発明の経路情報提供方法を実行する前記利用者端末１００に対し、利用者端末１００からのリクエストに応じて前記経路検索システム１４０および予約管理システム１５０から情報を取得して仲介する機能を果たす。勿論、利用者端末１００が直接に経路検索システム１４０および予約管理システム１５０にアクセスしてデータ授受を行うものとしてもよい。
【００１２】
また、前記経路検索システム１４０は、仲介サーバ１３０を介して利用者端末１００からの経路検索要求（列車の乗車駅および降車駅と乗降時機）を受けて、乗降駅間の経路をなす１以上の列車に関する、列車種別または線区の情報を含む原検索結果を返す役割を果たす。
【００１３】
また、前記予約管理システム１５０は、予約情報管理サーバ１５１および運行情報管理サーバ１５２を備えている。前記予約情報管理サーバ１５１は、利用者端末１００からの、空席照会（前記原検索結果の含む列車種別または線区の情報をキーとするもの）に応じて、列車種別または線区に属する各列車の空席状況を返す役割を果たす。更に、経路情報に応じた列車の予約要求を前記利用者端末１００から受け、予約処理を実行する。
【００１４】
一方、運行情報管理サーバ１５２は例えば列車運行の情報管理団体が管理している装置であり、列車の運行状況を監視してそれを記録する機能を有する一方で、利用者端末１００からの、空席照会（前記原検索結果の含む列車種別または線区の情報をキーとするもの）に応じて、列車種別または線区に属する各列車の運行状況を返す。
【００１５】
このような経路検索システム１４０および予約管理システム１５０らは、利用者端末１００からの種々の要求に答えるべく、データベースを有している。図２（ａ）に、経路検索システムが備える検索データベース例、同図（ｂ）に予約管理システムが備える予約データベース例を示す。
【００１６】
経路検索システム１４０のデータベース１４１は、例えば乗降駅の組合せをキーとして、当該乗降駅間の経路をなす列車群の情報が関連付けされる。その情報としては、例えば、経路上の先乗列車および後乗列車の、乗降駅と線区（例：東海道線、山手線など）、列車種別（例：新幹線、特急など）、乗車時間が含まれる。また、新幹線や特急といった料金券区間に対し、在来線等の乗車券区間についても、その乗車時間等が関連づけされる。
【００１７】
一方、予約管理システム１５０のデータベース１５５は、日付別に前記料金券区間に対応する列車毎の発着駅、停車駅と、各駅の発着時刻、設備毎（例：グリーン席、指定席など）の残席数の情報が格納されている。
【００１８】
他方、利用者端末１００は、前記経路検索システム１４０や予約管理システム１５０らとデータ通信を行うに際し、自身のデータ形態を各システム１４０、１５０らのデータ形態に適合させる処理を実行する。この場合に利用するテーブル類を図２に示している。図２（ｃ）に利用者端末が備える変換テーブル例１、同図（ｄ）に変換テーブル例２、同図（ｅ）に変換テーブル例３、（ｆ）に変換テーブル例４を示す。
【００１９】
前記変換テーブル１は、入力インターフェイスから受けた入力データのうち、駅名に関するデータについて、前記経路検索システム１４０や予約管理システム１５０において扱えるコードなどの形態とすべく変換するテーブル２００である。
【００２０】
また変換テーブル２は、駅名のコード等のデータについて、利用者側への出力画面の表示項目として変換するテーブル２０１である。例えば表示内容と共に表示位置（例：画面における座標値等）を変換値とできる。同様に、変換テーブル３は、列車名のコード等のデータについて、利用者側への出力画面の表示項目として変換するテーブル２０２である。例えば表示内容と共に表示位置（例：画面における座標値等）を変換値とできる。
【００２１】
更に、変換テーブル４は、入力インターフェイスから受けた入力データのうち、列車名に関するデータについて、前記経路検索システム１４０や予約管理システム１５０において扱えるコードなどの形態とすべく変換するテーブル２００である。
【００２２】
なお、前記利用者端末１００は、仲介サーバ１３０、経路検索システム１４０、および予約管理システム１５０らとネットワーク１２０を介して接続され、仲介サーバ１３０および各システム１４０、１５０らとのデータ授受を行う形態例の他、利用者端末１００の備える機能として、各システム１４０、１５０らを一体に稼動させるといった例も想定できる。或いは、１つの装置内に一体に備えるといった例も想定できる。また、利用者端末１００の処理を仲介サーバ１３０にて実施し、利用者端末１００からはインターネットで仲介サーバ１３０のサービスを利用する方式も考えられる。
【００２３】
更に、利用者端末１００、仲介サーバ１３０、経路検索システム１４０、および予約管理システム１５０らをつなぐネットワーク１２０に関しては、インターネットやＬＡＮの他、専用回線やＷＡＮ（Wide Area Network）、電灯線ネットワーク、無線ネットワーク、公衆回線網、携帯電話網など様々なネットワークを採用することも出来る。また、ＶＰＮなど仮想専用ネットワーク技術を用いれば、インターネットを採用した際にセキュリティ性を高めた通信が確立され好適である。
【００２４】
以下、本発明の経路情報提供方法の実際手順について説明する。図３は本実施形態の経路情報提供方法の実際手順を示すフロー図である。なお、以下で説明する経路情報提供方法に対応する各種動作は、利用者端末１００のメモリ１０７が備えるプログラム１０６によって実現される。そして、このプログラム１０６は、以下に説明される各種の動作を行うためのコードから構成されている。
【００２５】
本発明の情報処理装置たる利用者端末１００は、入力インターフェイスより、列車の乗車駅および降車駅と乗降日時（乗降時機）と乗車人数とを含む経路検索要求を受付けたとする（ｓ１０００）。この時、利用者端末１００は、受け付けた経路検索要求のうち、少なくとも列車の乗降駅および乗降時機の情報を、前記テーブル２００に基づく変換処理を行った上で経路検索システム１４０に送信する（ｓ１００１）。この時の要求電文４００の形式例を、図４（ａ）に示す。
【００２６】
一方、経路検索システム１４０では前記要求電文４００を受信する（ｓ１００２）。そしてこの要求電文４００に基づいて、前記データベース１４１における経路検索処理を実行する。この処理により、乗降駅間の経路をなす１以上の列車に関する、列車種別または線区の情報を含む原検索結果を得る。原検索結果は、図４（ｂ）に示すように、料金券区間をなす先乗および後乗列車の発着駅と乗車時間および列車種別（例：線区情報含む）と、乗車券区間（いわゆる在来線など）の発着駅と乗車時間といった情報から構成される。なお、先乗列車とは、経路上の料金券区間において利用者が最初に乗車する列車であり、後乗列車とは前記先乗列車（またはこれに接続する在来線等）に接続し、利用者に乗り継がれる列車を意味する（料金券区間の列車が一本しか含まれない場合、この区別は無い）。また、（料金券区間の）列車の乗り継ぎが２本に限った場合を例にしているが、本発明において乗り継ぎ数の制限はない。
【００２７】
この原検索結果は、回答電文４０１として利用者端末１００に返信される（ｓ１００３）。利用者端末１００ではこの回答電文４０１を受信し（ｓ１００４）、料金券区間の抽出を行う（ｓ１００５）。例えば、前記原検索結果（回答電文４０１と同義）の含む列車種別または線区の情報を抽出することとなる。抽出した列車種別または線区の情報については、空席要求として図４（ｃ）に示す要求電文４０２の形態にて予約管理システム１５０に送信する（ｓ１００６）。
【００２８】
一方、予約管理システム１５０ではこれを受信し（ｓ１００７）、予約情報管理サーバ１５１および運行情報管理サーバ１５２に照合する。これにより、列車種別または線区に属する各列車の予約状況または運行状況を取得するのである。予約管理システム１５０はこの予約状況や運行状況を回答電文４０３として返信する（ｓ１００８）。回答電文４０３のデータ形態としては、例えば図５（ａ）に示すように、列車種別や線区に該当する全ての先乗列車と後乗列車それぞれについて、列車名、発着時刻、設備種別、空席数といった情報が関連づけされたものとなる。
【００２９】
利用者端末１００では前記回答電文４０３を受信する（ｓ１００９）。受信した回答電文４０３に基づき、経路が複数の料金券区間から構成されるか判定する（ｓ１０１０）。ここで、料金券区間が１つのみから構成される場合（ｓ１０１０：ＮＯ）、前記回答電文４０３に含まれる列車の予約状況または運行状況に基づき、予約可能である列車を抽出する。そして、予約可能として抽出した列車のうちより、前記経路検索要求（要求電文４００）が含む日付・時刻（乗降時機）に適合する最先の列車を選定する（ｓ１０１１）。または、予約可能な列車のうちより、前記経路検索要求が含む日付・時刻（乗降時機）に適合する列車のうち料金最低の列車を選定するとしてもよい。或いは、前記各選定の処理結果をマージして、最先かつ料金最低の列車を選定するとしてもよい。
【００３０】
一方、前記経路が複数の料金券区間から構成されると判定した場合（ｓ１０１０：ＹＥＳ）、前記予約可能な列車のうちより、前記経路検索要求が含む乗降時機に適合する最先の先乗列車または後乗列車を選定するべく、先乗列車群の着時刻順でのソート（ｓ１０１２）と後乗列車群の着時刻順でのソート（ｓ１０１３）を実行する。前記乗降時機の指定が、降車駅（目的地）への列車到着時刻であった場合、つまり指定の到着時刻を越えない（降車駅での）着時刻を有する後乗列車を抽出する（ｓ１０１４）。また、この後乗列車に接続する料金券区間外の乗車件区間における乗車時間を、前記到着時刻を遡る形で加算する（ｓ１０１５）。更に、前記抽出された後乗列車（又は乗車券区間の列車）への接続が最先の先乗列車を選定する（ｓ１０１６）。なお、前記乗降時機の指定が、乗車駅（出発地）での列車発車時刻であった場合、上述のステップｓ１０１４〜ｓ１０１６の処理は、先乗列車をまず抽出してからの処理となる。
【００３１】
ステップｓ１０１１およびｓ１０１６にて選定された列車（先乗・後乗の列車含む）の情報は、乗降駅間の経路情報に組み込んで出力インターフェイスに出力する（ｓ１０１７）。
【００３２】
図６は本実施形態における予約候補出力画面例を示す図である。この画面６００は、例えば利用者端末１００におけるディスプレイ画面に表示されるものである。画面構成としては、例えば、各候補毎に、乗降駅間の経路を構成する先乗・後乗列車（料金券区間）および在来線等の他列車（乗車券区間）の、発着駅と発着時刻とが示されたものとなる。列車表示エリアへのクリック動作を受けて、例えば該当列車の設備およびその空席情報等をポップアップ表示させるなどして利用者に提供するとしてもよい。
【００３３】
上記画面６００において、希望列車名や設備種別、利用人数といった利用者からの予約要求を受けた利用者端末１００は、前記予約管理システム１５０にこれを要求電文４０４（図５（ｂ）参照）として送信する（ｓ１０１８）。他方、予約管理システム１５０ではこの要求電文４０４を受信し（ｓ１０１９）、前記データベース１５５における該当列車の予約情報を更新するなどして予約処理を実行する。予約処理結果は、付与した予約ＩＤ、料金、運賃、人数、設備といった情報を含む回答電文４０５（図５（ｃ）参照）として利用者端末１００に返信される（ｓ１０２０）。予約管理システム１５０における予約処理に伴って、代金の決済処理も行われるとすれば、前記回答電文４０５自体をもって乗車券および特急券とみなすことも可能となる。
【００３４】
利用者端末１００では前記の予約処理結果を受信して出力インターフェイスに出力し、処理は終了する（ｓ１０２１）。なお、出力インターフェイスが前記プリンタ１１０などであった場合、前記予約処理結果を印刷媒体に印字するとできる。
【００３５】
本発明によれば、予約状況等を反映した的確な経路情報の提供や当該経路情報に応じた簡便な予約処理を可能とする情報処理装置、経路情報提供プログラムを提供できる。
【００３６】
以上、本発明の実施の形態について、その実施の形態に基づき具体的に説明したが、これに限定されるものではなく、その要旨を逸脱しない範囲で種々変更可能である。
【図面の簡単な説明】
【００３７】
【図１】本実施形態における利用者端末（情報処理装置）を含むネットワーク構成図である。
【図２】本実施形態の、（ａ）経路検索システムが備える検索データベース例、（ｂ）予約管理システムが備える予約データベース例、（ｃ）利用者端末が備える変換テーブル例１、（ｄ）利用者端末が備える変換テーブル例２、（ｅ）利用者端末が備える変換テーブル例３、（ｆ）利用者端末が備える変換テーブル例４を示す図である。
【図３】本実施形態の経路情報提供方法の実際手順を示すフロー図である。
【図４】本実施形態における、（ａ）経路検索要求の電文フレーム例、（ｂ）経路検索回答の電文フレーム例、（ｃ）空席照会要求の電文フレーム例を示す図である。
【図５】本実施形態における、（ａ）空席照会回答の電文フレーム例、（ｂ）予約要求の電文フレーム例、（ｃ）予約処理回答の電文フレーム例を示す図である。
【図６】本実施形態における予約候補出力画面例を示す図である。
【符号の説明】
【００３８】
１００  利用者端末（情報処理装置）
１０６  プログラム
１０７  メモリ
１０８  演算装置、ＣＰＵ
１０９  入出力インターフェイス
１１０  プリンタ
１１５  携帯電話機
１１７  ＩＣカードリーダ
１１８  ＩＣカード
１２０  ネットワーク
１３０  仲介サーバ
１４０  経路検索システム
１５０  予約管理システム
１５１  予約情報管理サーバ
１５２  運行情報管理サーバ
１５３  ローカルエリアネットワーク
【図１】
2005071156.tif 000003
【図２】
2005071156.tif 000004
【図３】
2005071156.tif 000005
【図４】
2005071156.tif 000006
【図５】
2005071156.tif 000007
【図６】
2005071156.tif 000008